(57)【要約】【課題】多種多様な医療情報や当該医療情報を取り扱う機器を有機的に結びつけることで、チーム医療を行うに当たってチームメンバー間における医療情報の共有化を十分に図ることのできる画像検索支援装置及びチーム医療支援システムを提供する。【解決手段】実施の形態における画像検索支援装置は、ログ取得部と、記憶部と、注目画像分析部とを備える。ログ取得部は、医療従事者が行った医用画像に対する操作の履歴を取得する。記憶部は、取得した操作ログを医用画像と関連づけて記憶する。注目画像分析部は、操作ログに基づいて注目度の高い医用画像を抽出する。【選択図】図１
2017208142.tif 000002
【特許請求の範囲】
【請求項１】
医療従事者が行った医用画像に対する操作の履歴を取得するログ取得部と、
前記取得した操作ログを前記医用画像と関連づけて記憶する記憶部と、
前記操作ログに基づいて注目度の高い前記医用画像を抽出する注目画像分析部と、
を備えることを特徴とする画像検索支援装置。
【請求項２】
前記ログ取得部は、前記医療従事者の存在位置を示す位置ログを取得し、
前記記憶部は、取得した前記位置ログを、前記操作ログとともに前記医用画像と関連づけて記憶することを特徴とする請求項１に記載の画像検索支援装置。
【請求項３】
前記医療従事者に関する前記操作ログと前記位置ログから、特定の前記医療従事者に関わる前記医用画像を検索する共有参照画像検索部を備えることを特徴とする請求項２に記載の画像検索支援装置。
【請求項４】
前記注目画像分析部は、ミーティングにおいて表示時間が長かった前記医用画像、付されたブックマークの数が多い前記医用画像、或いは、前記医療従事者による入力部の操作履歴や前記医療従事者の視線移動を基に把握される前記医用画像を注目度の高い医用画像であると認識し抽出することを特徴とする請求項１ないし請求項３のいずれかに記載の画像検索支援装置。
【請求項５】
前記注目画像分析部において抽出された注目度が高い前記医用画像をベストプラクティスとして登録するベストプラクティス部をさらに備えることを特徴とする請求項１ないし請求項４のいずれかに記載の画像検索支援装置。
【請求項６】
前記ベストプラクティス部は、登録の対象となる前記医用画像を基に作成されたスケッチを、基となった前記医用画像と対にして登録することを特徴とする請求項５に記載の画像検索支援装置。
【請求項７】
請求項１ないし請求項６のいずれかに記載の画像検索支援装置と、
前記医用画像を表示するとともに、表示された前記医用画像に対して各種操作を実行する携帯情報端末と、
を備えることを特徴とするチーム医療支援システム。
【発明の詳細な説明】
【技術分野】
【０００１】
本発明の実施の形態は、画像検索支援装置及びチーム医療支援システムに関する。
【背景技術】
【０００２】
近年、医療機関において患者の治療等を行うに当たって、各分野の専門家である医療従事者がチームを組む、チーム医療への関心が高まっている。チーム医療を行うと、これまでは個々の医療従事者ごとに回っていた患者に関する医療情報がチームを構成するチームメンバー間において共有できることになる。患者に関する医療情報がチームメンバー間で十分に共有できると、患者の状態をより正確に把握し、より良い治療方針を策定することができるようになる。また、医療情報のみならず、チームメンバー個々人の経験や知見も反映させることが可能となる。
【０００３】
これまで医療情報の共有化という観点からは、例えば、紙カルテと電子カルテとを関連付けたり（以下の特許文献１参照）、或いは、クリティカルパス作成に当たって電子カルテと患者や医療従事者のイベント情報とを連動させる、といった方策が採用されてきた（以下の特許文献２参照）。
【先行技術文献】
【特許文献】
【０００４】
【特許文献１】特開２００９−２０５４７７号公報
【特許文献２】特開２００７−２４９２５１号公報
【発明の概要】
【発明が解決しようとする課題】
【０００５】
しかしながら、いずれの特許文献に開示指されている発明も紙カルテと電子カルテ、或いは、クリティカルパスと電子カルテといった、数ある医療情報の中で特定の形態の医療情報に関する情報の共有化についてのみ示しているに過ぎない。
【０００６】
チーム医療を行うに当たっては、それこそ様々な医療情報について検討がなされ、個々人の経験や知見等が開陳され、その結果としてチームメンバー間において情報の共有化が図られる。従って、上記特許文献１、或いは、特許文献２において開示されている発明では、チームメンバーに対して適切に情報を提供したり共有させたりすることが困難な場合も考えられる。
【０００７】
本発明は上記課題を解決するためになされたものであり、本発明の目的は、多種多様な医療情報や当該医療情報を取り扱う機器を有機的に結びつけることで、チーム医療を行うに当たってチームメンバー間における医療情報の共有化を十分に図ることのできる画像検索支援装置及びチーム医療支援システムを提供することにある。
【課題を解決するための手段】
【０００８】
実施の形態における画像検索支援装置は、ログ取得部と、記憶部と、注目画像分析部とを備える。ログ取得部は、医療従事者が行った医用画像に対する操作の履歴を取得する。記憶部は、取得した操作ログを医用画像と関連づけて記憶する。注目画像分析部は、操作ログに基づいて注目度の高い医用画像を抽出する。
【図面の簡単な説明】
【０００９】
【図１】実施の形態におけるチーム医療支援システムの全体構成を示すブロック図である。
【図２】実施の形態におけるミーティング支援装置の内部構成を示すブロック図である。
【図３】実施の形態におけるチーム医療支援システムが利用される際におけるチーム医療支援システムを構成する各機器の間でやり取りされる医療情報の流れを示すシーケンス図である。
【図４】実施の形態における共有参照画像検索部を利用して必要とする情報を取得する際の流れを示すシーケンス図である。
【図５】実施の形態における共有参照画像検索部を利用して必要とする情報を取得する際の流れを示すシーケンス図である。
【図６】チームメンバーが必要とする医療情報を入手する際に用いられる操作ログの一例を示す説明図である。
【図７】チームメンバーが必要とする医療情報を入手する際に用いられる位置ログの一例を示す説明図である。
【図８】チームメンバーが必要とする医療情報を入手する際に用いられる通信ログの一例を示す説明図である。
【図９】チームメンバーが必要とする医療情報を入手する際に用いられる位置ログの一例を示す説明図である。
【発明を実施するための形態】
【００１０】
以下、本発明の実施の形態について図面を参照して詳細に説明する。
【００１１】
図１は、実施の形態におけるチーム医療支援システムＳの全体構成を示すブロック図である。チーム医療支援システムＳは、ミーティング支援装置１と、チームメンバーがそれぞれ所持する携帯情報端末２と、患者に関する様々な医療情報を提供するモダリティ３とから構成される。ミーティング支援装置１、携帯情報端末２とモダリティ３は、いずれもそれぞれの装置間で医療情報のやり取りができるように通信ネットワークＮに接続されている。なお、明細書内におけるミーティング支援装置は、特許請求の範囲における画像検索支援装置に相当する。
【００１２】
チーム医療支援システムＳは、それ自体独立したシステムとして構成されても良いが、例えば、病院情報管理システム（ＨＩＳ：Hospital Information System）、放射線部門情報管理システム（ＲＩＳ：Radiological Information System）、医用画像管理システム（ＰＡＣＳ：Picture Archiving Communication System）といった医療機関内に構築された各種管理システムの全て、或いは、その一部を構成するようにされていても良い。
【００１３】
ミーティング支援装置１は、チーム医療を行うチームメンバーが患者の現状や治療方針等を策定するためにミーティングを行う際に利用される装置である。具体的な構成については後述するが、チームメンバーがミーティングを行うに当たって必要な資料の提供やチームメンバーがアクセスした資料に関する情報をログとして取得し記憶するといった機能を備えている。
【００１４】
なお本発明の実施の形態においては、ミーティング支援装置１をこのようなミーティングの支援を行う「装置」として構成したが、例えば、上述したＰＡＣＳとして構成しても良い。その場合には、後述する例えば、表示部１ｇは、表示装置として、というように、各部はそれぞれの機能を備える個々の装置としてＰＡＣＳを構成する。
【００１５】
携帯情報端末２は、ミーティングに参加するチームメンバーが所持し使用する端末である。チームメンバーは、後述するミーティング支援装置１を構成する表示部１ｇに表示される患者に関する画像等の医療情報を見ながらミーティングを行う。また、適宜、手元にある携帯情報端末２を介して、そのチームメンバーが必要と思う医療情報を呼び出して参照することもできる。
【００１６】
なお、携帯情報端末２として例えば、タブレットやスマートフォン等が考えられるが、その他、例えば、ノート型のパソコンであっても良い。また、ここでは「携帯」情報端末としているが、もちろん「情報端末」であっても構わない。さらには、画面に表示させた画像（医療情報）を基に、スケッチが書き込めるようにされていても良い。
【００１７】
モダリティ３は、患者を撮影してその内部情報を取得する医用画像取得（撮影）装置である。モダリティ３としては、例えば、Ｘ線ＣＴ装置（computed tomography：コンピュータ断層撮影装置）や、磁気共鳴診断装置（ＭＲＩ：magnetic resonance imaging）、或いは、超音波診断装置等が該当する。
【００１８】
通信ネットワークＮは、ミーティング支援装置１、携帯情報端末２、及び、モダリティ３をそれぞれつなぎ、互いの間で、例えば患者に関する画像といった医療情報のやりとりを可能とする。通信ネットワークＮの例としては、ＬＡＮ（Local Area Network）やインターネット等のネットワークを挙げることができる。また、この通信ネットワークＮで使用される通信規格は、ＤＩＣＯＭ（Digital Imaging and Communication in Medicine）等、いずれの規格であっても良い。
【００１９】
なお、図１に示すチーム医療支援システムＳでは、通信ネットワークＮに１つのミーティング支援装置１、携帯情報端末２Ａ及び２Ｂ（以下、適宜これら複数の携帯情報端末をまとめて「携帯情報端末２」と表わす。）、及び１つのモダリティ３が接続されている。但し、通信ネットワークＮに接続されるミーティング支援装置、携帯情報端末、或いは、モダリティの数は単数、或いは複数のいずれでも良く、その数は任意である。
【００２０】
また、通信ネットワークＮに接続されるこれらミーティング支援装置１、携帯情報端末２、及びモダリティ３は、例えば、１つの医療機関内にその全てが設けられていなくとも良い。例えば、あるチームメンバーが他の施設にいて携帯情報端末２を利用し、当該携帯情報端末２に表示された医療情報の通信履歴等の情報がインターネット等を介してミーティング支援装置１に集められる形態も考えられる。
【００２１】
図２は、本発明の実施の形態におけるミーティング支援装置１の内部構成を示すブロック図である。
【００２２】
ミーティング支援装置１は、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力部１ｆと、表示部１ｇと、通信制御部１ｈと、記憶部１ｉと、ログ取得部１０と、ミーティング資料記憶部２０と、共有参照画像検索部３０と、注目画像分析部４０と、ベストプラクティス部５０とが接続されている。
【００２３】
ＣＰＵ１ａは、入力部１ｆからの入力信号に基づいてＲＯＭ１ｂからミーティング支援装置１を起動するためのブートプログラムを読み出して実行し、記憶部１ｉに格納されている各種オペレーティングシステムを読み出す。
【００２４】
またＣＰＵ１ａは、入力部１ｆや入出力インターフェイス１ｄを介して、図２において図示していないその他の外部機器からの入力信号に基づいて各種装置の制御を行う。さらにＣＰＵ１ａは、ＲＡＭ１ｃや記憶部１ｉ等に記憶されたプログラム及びデータを読み出してＲＡＭ１ｃにロードするとともに、ＲＡＭ１ｃから読み出されたプログラムのコマンドに基づいて、ミーティングにおける画像表示のための処理やデータの計算、加工等、一連の処理を実現する処理装置である。
【００２５】
入力部１ｆは、ミーティング支援装置１の操作者（例えば、医師や検査技師）が各種の操作を入力するキーボード、ダイヤル等の入力デバイスにより構成されており、操作者の操作に基づいて入力信号を作成しバス１ｅを介してＣＰＵ１ａに送信される。
【００２６】
表示部１ｇは、例えば液晶ディスプレイである。この表示部１ｇは、ＣＰＵ１ａからバス１ｅを介して出力信号を受信し、例えばある画像の処理要求をミーティング支援装置１に対して行うに当たっての条件設定に必要な画像等、或いはＣＰＵ１ａの処理結果等を表示する。
【００２７】
通信制御部１ｈは、ＬＡＮカードやモデム等の手段であり、ミーティング支援装置１をインターネットやＬＡＮ等の通信ネットワークＮに接続することを可能とする手段である。通信制御部１ｈを介して通信ネットワークＮと送受信したデータは入力信号または出力信号として、入出力インターフェイス１ｄ及びバス１ｅを介してＣＰＵ１ａに送受信される。
【００２８】
記憶部１ｉは、半導体や磁気ディスクで構成されており、ＣＰＵ１ａで実行されるプログラムやデータが記憶されている。
【００２９】
ログ取得部１０は、ミーティング支援装置１を利用してチームメンバーがミーティングを行う際に利用される医療情報に関するログを取得する。ここで取得されるログは、例えば、上述した表示部１ｇに表示される画像の情報に関するもののみならず、チームメンバーが使用する携帯情報端末２がアクセスした通信情報や取得した医療情報に関する情報等、通信ネットワークＮを介してミーティング中にやり取りされた医療情報に関する全てのログが含まれる。
【００３０】
ミーティング資料記憶部２０は、ログ取得部１０において取得されたログやミーティングで利用された資料等、ミーティングで示された医療情報の全てが記憶される。記憶される場合には、例えば、各ミーティングに割り当てられる「会議ＩＤ」に紐づけられる。また、チームメンバーが行った操作を「操作ログ」としてまとめて記憶している。さらには、チームメンバーの存在位置を示す、後述する「位置ログ」を操作ログ、医療情報と関連づけて記憶する
【００３１】
なお、ここではミーティングで示された医療情報を記憶する機能を備える部分として、ミーティング資料記憶部２０を設けた例を説明したが、例えば、これらの医療情報は、まとめて記憶部１ｉに記憶されるようにしても良い。そのため特許請求の範囲における「記憶部」は、ミーティング資料記憶部２０、或いは、記憶部１ｉに相当する。
【００３２】
共有参照画像検索部３０は、チームメンバーからの要求に基づいて、ミーティング資料記憶部２０内に記憶されている画像（医療情報）を検索する。共有参照画像検索部３０を利用しての画像の検索の流れについては、後述する。
【００３３】
注目画像分析部４０は、ミーティング中にチームメンバーによって注目された画像を分析、抽出する。ミーティング中は様々な医療情報が提供され、検討されることになるが、それらの医療情報の中で注目度の高い画像を抽出する。また、例えば、表示部１ｇに表示された画像のどの領域にチームメンバーが注目したか、その領域を分析、抽出することもできる。これにより、抽出された画像に対するコメントや知見を、例えば、今後の治療方針の策定に役立てたり、或いは、同じ病気の他の患者に関してミーティングが開かれる場合にも利用することができる。
【００３４】
ベストプラクティス部５０は、注目画像分析部４０において抽出された画像を「ベストプラクティス」として採択する。ベストプラクティスとして採択された画像は、例えば、別の患者に関するミーティングが開催される際に利用される。
【００３５】
次に、チームメンバーが参加するミーティングの流れに沿って、チーム医療支援システムＳの働きを説明する。以下では、まず、図３を利用してミーティングの大まかな流れに従って、各機器を移動する医療情報の流れを説明する。
【００３６】
なお、以下のミーティングの流れにおいては、より具体的に説明するべく、例えば、チームメンバーである放射線科の医師がチームを組む他の科の医師や技師に対して説明を行うといった場面を想定しつつ説明する。
【００３７】
図３は、実施の形態におけるチーム医療支援システムＳが利用される際におけるチーム医療支援システムＳを構成する各機器の間でやり取りされる医療情報の流れを示すシーケンス図である。図３に示すシーケンス図では、ミーティング支援装置１の表示部１ｇと、ログ取得部１０、ミーティング資料記憶部２０、及び、携帯情報端末２の間で送信される医療情報の流れが示されている。
【００３８】
まず、ミーティングが開始されると、放射線科のチームメンバーは他のチームメンバーに対して患者の治療方針等を策定する際に参考となる画像を表示部１ｇに表示させる（ＳＴ１）。但し、ここで表示される画像についてはどのような画像であっても良く、まずは例えば、患者に関する情報等を表示させてチームメンバーにミーティングの対象となる患者を把握させることとしても良い。放射線科の医師が表示させるのであれば、対象となる患者を、例えば、Ｘ線ＣＴ装置を利用して撮影した画像を表示させることになる。
【００３９】
表示部１ｇに表示された画像（医療情報）に関する情報は、表示された記録を示すログが取得され、表示部１ｇからログ取得部１０へと送信される（ＳＴ２）。ログとして送信される情報は、例えば、表示された当該画像に付加されている画像を識別するための識別子や表示された日時等を示す情報等が考えられる。なお、ログ取得部１０に対して送信するログの内容は、事前に設定しておくことも可能である。
【００４０】
ミーティング中、表示部１ｇには、放射線科のチームメンバーが表示させその他のチームメンバー全員が見ることができる、或いは、チームメンバーに見て欲しい医療情報（画像）が表示されている。一方で、各チームメンバーは、それぞれ個人が使用することができる携帯情報端末２を所持している。この携帯情報端末２は、上述したように例えば、タブレット等である。ミーティング中であっても、チームメンバーはミーティングの進行に合わせて適宜自分が気になる情報を携帯情報端末２に取り込んで見ることができる（ＳＴ３）。
【００４１】
例えば、あるチームメンバーは、表示部１ｇに表示されている放射線科のチームメンバーが表示させている画像を取り込んで、気になる箇所に丸や印を付けるといった、スケッチを描くことができる。紙に描かれたスケッチをカメラで読み込んで携帯情報端末２の画面上に表示させることもできる。また、表示部１ｇに表示されている画像とは別に、前回の検査において取得された対象の患者に関する画像を参照画像として携帯情報端末２上に表示させることも可能である。さらには、患者の病気に関するレポートや読影レポート等を見ることもできる。また、チームメンバーが手元（自身の携帯情報端末２）に表示させた内容、加工した情報等は、携帯情報端末２から大きな画面（表示部１ｇ）へと送信することで、チーム員に対してその情報を共有させることができる。
【００４２】
チームメンバーが所持する携帯情報端末２に表示された画像やレポート等の各種医療情報、これらの情報を携帯情報端末２に表示させるために通信ネットワークＮに接続した際に通信履歴等の情報は、ログとしてログ取得部１０に送信される（ＳＴ４）。
【００４３】
このようにログ取得部１０においてミーティングで表示、或いは、取得された各種情報をログとして取得する（ＳＴ５）。そしてミーティング資料記憶部２０にログとして取得された情報を送信し、記憶させる（ＳＴ６）。
【００４４】
このようにすることで、ミーティングで使用された情報を全て把握することができる。従って、例えば、後から当該ミーティングで使用された各種情報にアクセスする場合には、ミーティング資料記憶部２０にその旨の要求を出すことで、必要な情報を取得することができる。
【００４５】
次に、主に図４のシーケンス図を利用して、ミーティング中にチームメンバーが自身の携帯情報端末２を利用して画像を検索する流れについて説明する。なお、ここで検索される画像は、上述したように既にミーティング資料記憶部２０に記憶されており、チームメンバー全員、或いは、公開範囲で指定された一部のチームメンバーが利用することが可能な画像であることから、以下、「共有参照画像」と表わす。
【００４６】
図４、図５は、実施の形態における共有参照画像検索部３０を利用して必要とする情報を取得する際の流れを示すシーケンス図である。ミーティング中にチームメンバーが参照したい画像を検索する際、共有参照画像に直接アクセスすることができれば、特に複雑な処理は不要である。例えば、検索対象となる共有参照画像に付加されている識別子を知っており、その識別子を直接入力して検索を掛けるような場合である。
【００４７】
ただ、通常は検索を行うチームメンバーの記憶も曖昧であり、検索対象となる共有参照画像に直接たどり着けないことも多いと考えられる。そこで、ここでは、例えば、あるチームメンバー（Ａ医師）が「２０１２年の８月に開かれたミーティングで、Ｂ医師が説明していた画像（共有参照画像）が欲しい」といった場合を例に挙げて説明する。
【００４８】
まず、Ａ医師は、共有参照画像の検索条件を入力する（ＳＴ１１）。ただ、このような場合、携帯情報端末２に入力される検索条件は曖昧なものとならざるを得ない。例えば、Ａ医師は、「２０１２年８月」、「ミーティング」、「Ｂ医師」といった語句を検索条件として入力する。条件が入力された携帯情報端末２は、ミーティング支援装置１の共有参照画像検索部３０に向けて検索要求を送信する（ＳＴ１２）。共有参照画像検索部３０では、受信した検索要求の内容（検索条件）を把握し（ＳＴ１３）、実際に検索を開始する。
【００４９】
共有参照画像検索部３０では、把握した検索条件に合致するログをミーティング資料記憶部２０において検索する（ＳＴ１４）。そこで、共有参照画像検索部３０はミーティング資料記憶部２０にアクセスして検索条件を含む操作ログと位置ログを検索する（ＳＴ１５）。
【００５０】
ここでは、ミーティング資料記憶部２０が上述したような検索条件「２０１２年８月」、「ミーティング」、「Ｂ医師」を含む操作ログ、位置ログを検索する。ミーティング資料記憶部２０には、ログ取得部１０を介してこれまで行われたミーティングにおいて表示された医療情報やチームメンバーが所持する携帯情報端末２が行った通信履歴等の情報に関するログを全て収集している。従って、ミーティング資料記憶部２０は、記憶されているこれら操作ログと位置ログを検索し、検索結果を共有参照画像検索部３０へ送信する（ＳＴ１６）。
【００５１】
共有参照画像検索部３０では、ミーティング資料記憶部２０から送信された検索条件を含む操作ログと位置ログとを受信し（ＳＴ１７）、これらを基に検索要求の対象となる共有参照画像のリストを作成する（ＳＴ１８）。
【００５２】
なお、ここでは、「リストを作成」としたが、これは今後の処理において実際に要求される共有参照画像を絞り込むために利用されることを考慮したものである。従って、特にリストを作成せずに検索要求に該当する共有参照画像を特定しても良い。
【００５３】
操作ログと位置ログとを利用してのリスト作成に関して、以下に図６及び図７を利用して説明する。図６は、チームメンバーが必要とする医療情報を入手する際に用いられる操作ログの一例を示す説明図であり、図７は、チームメンバーが必要とする医療情報を入手する際に用いられる位置ログの一例を示す説明図である。
【００５４】
ここで、「操作ログ」とは、上述したように、ミーティングに参加しているチームメンバーによってミーティング支援装置１、或いは、携帯情報端末２等が操作されたことに伴ってログ取得部１０を介して取得されるログである。
【００５５】
一方、「位置ログ」とは、チームメンバーがどこにいたかを示すログである。この位置ログを検出、記憶するには、例えば、チームメンバー自身がＩＤを検出装置に読み取らせることによって把握しても良く、或いは、チームメンバーが所持する携帯情報端末２の位置を測定することで、チームメンバーの位置を把握することとしても良い。さらには、近距離無線通信（ＮＦＣ：Near field communication）を利用して互いに近くにいるチームメンバーを検出することでチームメンバーの位置を把握することもできる。従って、チームメンバーの位置を示すログの取得については、既知の技術を利用することで行うことができる。
【００５６】
操作ログの一例を示す図６には、５つの項目が示されている。左から「Ｄａｙ」、「Ｔｉｍｅ」、「Ｉｍａｇｅ  ＩＤ」、「Ｕｓｅｒ」、及び「Ｒｏｏｍ」である。このうち、「Ｉｍａｇｅ  ＩＤ」は、「Ｕｓｅｒ」である医師等が使用した画像（医療情報）に付加されている識別子（ＩＤ）を示している。また、「Ｒｏｏｍ」とは、ミーティングが開催された会議室を示している。
【００５７】
なお、図６ないし図９に示されているログにおいて示されている項目はあくまでも説明のための項目であって、ログとして設定される項目はこれらに限られるものではない。
【００５８】
図６によると、この操作ログからは、２０１２年８月１６日に２人のユーザ（ＢとＤ）が会議室Ａ１０１においてそれぞれ１０時１５分に「ｉｍｇ００１」の画像、１１時３０分に「ｉｍｇ００５」の画像を表示していることが把握できる。但し、同じ会議室でのミーティングだが、同じチームメンバーによるミーティングであるかは、この操作ログからは分からない。
【００５９】
位置ログの一例を示す図７には、５つの項目が示されている。左から「Ｄａｙ」、「入室時間」、「退室時間」、「Ｕｓｅｒ」、及び「Ｒｏｏｍ」である。このうち、「入室時間」或いは「退室時間」は、「Ｕｓｅｒ」であるチームメンバーがミーティングが開催された会議室に入室した時間、或いは、退室した時間を示している。
【００６０】
図７の位置ログによると、ユーザである「Ｂ」はミーティングが開催された会議室Ａ１０１に「８時５５分」に入室し、「１２時０５分」に退室していることが分かる。従って、「Ｂ」は９時前から１２時過ぎまでミーティングに参加して、同じ部屋に在室していることが分かる。一方、「Ａ」は、同じ会議室Ａ１０１に１０時に入室したものの、２０分で退室してしまったことが位置ログから把握できる。
【００６１】
ところで、ここでの前提は、上述したように、チームメンバーであるＡ医師が「２０１２年の８月に開かれたミーティングで、Ｂ医師が説明していた画像（共有参照画像）が欲しい」というものである。
【００６２】
図６、図７に示される操作ログ及び位置ログからすると、画像を要求しているＡ医師は、２０１２年８月１６日に会議室Ａ１０１において開催されたミーティングに参加しており、このミーティングにはＢ医師も参加していることが分かる。ただ、当該ミーティングでは、Ｂ医師の方が長く参加しており、Ａ医師はむしろ短時間のみの参加であったことも分かる。そのためＡ医師が要求するＢ医師の説明の際利用された画像は、当該ミーティングで表示された共有参照画像であると推測できる。
【００６３】
操作ログを確認すると、Ｂ医師は、当該ミーティングで少なくとも１０時１５分に「ｉｍｇ００１」のＩＤを持つ共有参照画像を表示させている。この時間は、Ａ医師が当該ミーティングに参加している時間（会議室Ａ１０１に在室している時間）である。そのため、当該共有参照画像がＡ医師が要求している画像である可能性が高い。但し、図６の操作ログには示されていないが、その他にも共有参照画像を表示させている可能性がある。そこで、共有参照画像検索部３０では、当該ミーティングにおいてＢ医師が表示させた共有参照画像を抽出してリスト化する。
【００６４】
このように、ミーティングに直接参加したチームメンバーについては、例えば、図７に示す位置ログを利用することで、上述したように共有参照画像を抽出することができる。但し、例えば、遠隔地から通信ネットワークＮを介してミーティングに参加したチームメンバーがいた場合であっても同様に、共有参照画像を抽出できる。
【００６５】
図８及び図９は、チームメンバーが遠隔地からミーティングに参加した場合の共有参照画像の検索について説明する際に利用するログの一例を示す。図８は、チームメンバーが必要とする医療情報を入手する際に用いられる通信ログの一例を示す説明図である。また、図９は、チームメンバーが必要とする医療情報を入手する際に用いられる位置ログの一例を示す説明図である。
【００６６】
図８に示す通信ログについて見てみると、このログにおいても５つの項目が設けられている。「Ｄａｙ」、「開始時間」、「終了時間」、「会議ＩＤ」、及び「Ｒｏｏｍ」の５つであり、「Ｄａｙ」はミーティングが開催された日を示している。また、「開始時間」、「終了時間」はミーティングの開始、終了時間を、「会議ＩＤ」は当該ミーティングに付加されている識別子であるＩＤである。また、「Ｒｏｏｍ」は、ミーティングが開催された場所（会議室）を示している。
【００６７】
図８の通信ログを見ると、２つの欄に分かれて２つのミーティングが示されている。但し、同日同時刻にミーティングが開催されており、いずれのミーティングについても同じ会議ＩＤが付与されている。従って、これら２つの欄に分かれて示されているミーティングは、同じミーティングであることがわかる。「Ｒｏｏｍ」については、「Ａ１０１」と示されるとともに、「読影センタ」とも示されている。ここからは、チームメンバーが実際に会議室に集まってミーティングが行われているところに、当該会議室Ａ１０１でのミーティングに直接参加できないチームメンバーが別の場所である「読影センタ」から参加していることが読み取れる。
【００６８】
図９に示す位置ログを見ると、示されている項目は、図７に示す位置ログと同じである。またユーザがＢ及びＡの位置ログについても同様である。一方、読影センタからミーティングに参加しているＣ及びＤに関する位置ログが新たに示されている。図９の位置ログからすると、読影センタから参加したＣ及びＤは、いずれも８時５０分から１２時１０分までこのミーティングに参加していることが分かる。
【００６９】
従って、通信ログ、位置ログ、及び、操作ログを利用することで、例えば、読影センタから参加したＣが上述した医師Ａが検索の条件とした「２０１２年８月」、「ミーティング」、「Ｂ医師」を入力すれば、ミーティングに直接参加したＡ医師が要求したのと同様に必要な画像（医療情報）を入手することができる。
【００７０】
上述したように、共有参照画像検索部３０においては、各種ログを利用して参照要求のあった共有参照画像のリスト化を行い、さらにこの共有参照画像検索部３０において作成されたリストを基に、さらに検索条件から要求の対象となる共有参照画像を絞り込む（図５のＳＴ１９）。ここでは特に絞り込みの方法については詳細に説明しないが、例えば、気をつけなければならない症例（参考になる有用な症例）やブックマークの多い症例といった、病気の特異度を参照したり、或いは、ミーティングにおける治療方針の変更等のミーティングに関する付帯情報等を参照することが考えられる。
【００７１】
共有参照画像検索部３０は、絞り込みを行うことで、Ａ医師から要求された共有参照画像を特定する（ＳＴ２０）。その上で、ミーティング資料記憶部２０に対して、当該特定された共有参照画像の（検索）取得を要求し、ミーティング資料記憶部２０では、取得した共有参照画像を共有参照画像検索部３０に送信する（ＳＴ２１及びＳＴ２２）。
【００７２】
共有参照画像検索部３０では、ミーティング資料記憶部２０から送信されてきた共有参照画像を取得するとともに、そもそもの検索要求を出した携帯情報端末２（Ａ医師の所持する携帯情報端末２）に対して当該共有参照画像を送信する（ＳＴ２２）。
【００７３】
共有参照画像を受信した携帯情報端末２では（ＳＴ２３）、当該共有参照画像を表示させる（ＳＴ２４）。これにより、Ａ医師は、「２０１２年の８月に開かれたミーティングで、Ｂ医師が説明していた画像（共有参照画像）が欲しい」との要求に合致した共有参照画像を取得することができる。
【００７４】
以上、これまでは、チームメンバーが自身が所持する携帯情報端末２に必要な画像（医療情報）を検索し、共有参照画像として表示させることについて説明した。但し、この他にも、チームメンバーは、携帯情報端末２に注目されている画像を表示させることも可能である。
【００７５】
例えば、ミーティング支援装置１における注目画像分析部４０では、ミーティング資料記憶部２０に記憶されているこれまでのミーティングで使用された画像の中から注目度の高い画像を抽出することができる。例えば、上述した操作ログから、ミーティングにおいて表示時間が長かった画像は、注目度が高いと判断することができる。また、チームメンバーが携帯情報端末２に表示させる画像について、気になる画像であるとしてブックマークが付される場合も考えられるが、このブックマークの多寡をもって注目度を分析することも可能である。
【００７６】
さらには、例えば、ミーティング支援装置１の表示部１ｇに表示された際に、マウスでポインタを移動させた軌跡や拡大表示された履歴、或いは、携帯情報端末２においてもこれを使用するチームメンバーの視線を追跡すること等によっても注目画像の中の、さらに当該画像内における注目領域を抽出することも可能である。
【００７７】
注目画像分析部４０では、このようにして注目度の高かった画像を抽出し、例えば、ミーティング資料記憶部２０に記憶させておく。このような準備がなされていれば、その後、例えばチームメンバーが共有参照画像として検索することができたり、或いは、注目度が高い画像に付加されている識別子を基に、今後当該識別子に現われている撮影条件をもってモダリティ３において撮影することも可能となる。
【００７８】
さらに、注目画像分析部４０において抽出された画像のうち、さらにある閾値を超えて注目度が高い画像については、ベストプラクティスとして医療機関内、或いは、医療機関外に公開することも可能である。本発明の実施の形態におけるミーティング支援装置１においては、ベストプラクティス部５０が当該機能を果たしている。すなわち、注目度の特に高い画像をベストプラクティスとして公開することで、医療従事者は公開されたベストプラクティスの画像を見て参照することができる。
【００７９】
さらに、ベストプラクティス部５０は、注目度の特に高い画像のみをベストプラクティスとするだけではなく、当該画像に対して描かれたスケッチを組み合わせてベストプラクティスとすることも可能である。このスケッチは、例えば、チームメンバーがミーティングに参加しながら自身の携帯情報端末２上において当該画像を基に描かれたもの、或いは、紙に描かれたスケッチを携帯情報端末２に取り込んだものであり、そのチームメンバーの経験や知見が現われているものである。
【００８０】
従って、携帯情報端末２からログ取得部１０を介して取得されたスケッチを、例えば、ミーティング資料記憶部２０において基となる画像と組み合わせて記憶させておくことで、ベストプラクティス部５０においても一体の情報として取り扱うことができる。
【００８１】
さらに、このように画像とその画像に関するスケッチを組み合わせて記憶させておくことで、新たに描かれたスケッチを基に、記憶されているスケッチを検索することも可能である。この場合、例えば、まず、チームメンバーが携帯情報端末２上においてスケッチを行う。そしてこのスケッチを基に、例えば、パターンマッチング技術を用いて、ミーティング資料記憶部２０に記憶されているスケッチを検索する。この検索を行うことで、スケッチと組み合わせて記憶されている画像も併せて検索することができる。このようにすれば、画像を検索するに当たっても、条件はあるものの、スケッチから画像と組み合わせて記憶されているスケッチを介して画像そのものを検索することができることになる。
【００８２】
以上説明してきた通り、チーム医療支援システムＳを構成するミーティング支援装置１、携帯情報端末２、及びモダリティ３、或いは、ミーティング支援装置１内の各部がそれぞれ有機的に連携させることで、チーム医療を行うに当たってチームメンバー間における医療情報の共有化を十分に図ることのできるチーム医療支援システムを提供することができる。
【００８３】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００８４】
１    ミーティング支援装置
２    携帯情報端末
３    モダリティ
１０    ログ取得部
２０    ミーティング資料記憶部
３０    共有参照画像検索部
４０    注目画像分析部
５０    ベストプラクティス部
Ｓ    チーム医療支援システム
【図１】
2017208142.tif 000003
【図２】
2017208142.tif 000004
【図３】
2017208142.tif 000005
【図４】
2017208142.tif 000006
【図５】
2017208142.tif 000007
【図６】
2017208142.tif 000008
【図７】
2017208142.tif 000009
【図８】
2017208142.tif 000010
【図９】
2017208142.tif 000011